(57)【要約】【課題】簡単な構造で安価に提供することができ、飲料容器から容易にストローにより飲料を飲むことができる飲料容器と飲料容器用アダプタを提供する。【解決手段】一端部に筒状の注出口１４が形成されたペットボトル等の容器本体１２と、注出口１４に取り付けられた内蓋２２と、内蓋２２に挿通されたストロー３０とから成る。内蓋２２は、外側面が注出口１４に圧接し注出口１４の基端部１４ｂに向かって径が小さくなるテーパ状に形成された取付部２４と、取付部２４の小径部２４ａからさらに容器本体１２の底面１２ａに向かって径が小さくなるようにテーパ状に形成され、容器本体１２内で内蓋２２の一端部を閉鎖する閉鎖部２６とを備える。閉鎖部２６には、ストロー３０が貫通して設けられたストロー取付口２８を備える。ストロー３０は、内蓋２２内に位置した伸縮部３４を有する。【選択図】      図１
2004244069.tif 000002
【特許請求の範囲】
【請求項１】
一端部に筒状の注出口が形成された容器本体と、上記注出口に取り付けられた内蓋と、上記内蓋に挿通されたストローとから成り、上記内蓋は、外側面が上記注出口に圧接し注出口基端部に向かって径が小さくなるテーパ状に形成された取付部と、この取付部の小径部からさらに上記容器本体の底面に向かって径が小さくなるようにテーパ状に形成され上記容器本体内で上記内蓋の一端部を閉鎖する閉鎖部と、上記閉鎖部を貫通して設けられたストロー取付口とを備え、上記閉鎖部には空気穴が形成され、上記ストロー取付口には上記容器本体底面に達したストローが取り付けられ、このストローには、上記内蓋内に位置して上記ストローの一部に形成され上記ストローの先端部を上記内蓋内に収容可能にする伸縮部と、上記ストローの先端部に形成された鍔部とが設けられていることを特徴とする飲料容器。
【請求項２】
上記容器本体はペットボトルであり、上記ストロー取付部は、上記ペットボトルの上方であって上記注出口の基端部よりも容器本体底面側に位置していることを特徴とする請求項１記載の飲料容器。
【請求項３】
上記容器本体の注出口は、容器本体底部に向かうに従い内径が小さくなったテーパ状に形成され、上記取付部のテーパ状の外側面がこの注出口のテーパに圧入されて圧接していることを特徴とする請求項１または２記載の飲料容器。
【請求項４】
一端部に筒状の注出口が形成された容器本体の注出口に取り付けられる内蓋と、上記内蓋に挿通されたストローとから成り、上記内蓋は、外側面が上記注出口に圧接し注出口基端部に向かって径が小さくなるテーパ状に形成された取付部と、この取付部の小径部からさらに上記容器本体の底面に向かって径が小さくなるようにテーパ状に形成され上記容器本体内で上記内蓋の一端部を閉鎖する閉鎖部と、上記閉鎖部を貫通して設けられたストロー取付口とを備え、上記閉鎖部には空気穴が形成され、上記ストロー取付口には上記容器本体底面に達したストローが取り付けられ、このストローには、上記内蓋内に位置して上記ストローの一部に形成され上記ストローの先端部を上記内蓋内に収容可能にする伸縮部とが設けられていることを特徴とする飲料容器用アダプタ。
【請求項５】
上記ストローの先端部には、側方に膨らんだ鍔部が設けられていることを特徴とする請求項４記載の飲料容器用アダプタ。
【請求項６】
上記閉鎖部は、上記ストロー取付口に向かうに従い、外径が小さくなる割合が上記取付部よりも大きいテーパ状に形成されていることを特徴とする請求項４または５記載の飲料容器用アダプタ。
【請求項７】
上記伸縮部は蛇腹状であることを特徴とする請求項５または５記載の飲料容器。
【請求項８】
上記ストローの上記容器本体の底面側端部の周縁部には、切欠部が形成されていることを特徴とする請求項７記載の飲料容器。
【発明の詳細な説明】
【０００１】
【発明の属する技術分野】
この発明は、飲み物を収容する飲料容器と飲料容器用アダプタに関する。
【０００２】
【従来の技術】
【特許文献１】特表２００２−５１５３８４号公報
従来、飲料容器であるペットボトルは、注出口に直接口をつけて内容物である飲料を飲む場合が多い。また、注出口にストローを差して飲むこともあり、ペットボトル用のストローは、ペットボトルにストローを取り付けたり、ペットボトル内にストローを収容し使用するときに一端部を突出させるものなど、様々なストローが開発されている。
【０００３】
ペットボトル内に蛇腹式のストローを収容し、キャップを外してストローを引出可能としたものとして、特許文献１に開示されている飲料容器用ストローがある。これは、飲料容器の首部内にストローが挿通されたストッパを挿入し、引用に際してストローの蛇腹管を引き延ばして使用可能としたものである。
【０００４】
【発明が解決しようとする課題】
しかしながら、特許文献１の場合、ストローを保持したストッパはその容器専用のものであり、その容器のネック部の内径に合わせた外径のストッパを設けなければならず、汎用性のないものであった。また、このストッパをネック内に挿入する際にストッパの底面がネックの開口縁に当たってスムーズに挿入できない場合が発生しやすく、製造上の歩留まりが悪くなるものであり、製造コスト及び製品コストが上昇してしまうものであった。さらに、ネック部内に設けられた蛇腹部分の長さが短く、ネック部の外に十分な長さのストローを引き出すことができないものであった。
【０００５】
この発明は上記従来の技術の問題点に鑑みてなされたものであり、簡単な構造で安価に提供することができ、飲料容器から容易にストローにより飲料を飲むことができる飲料容器と飲料容器用アダプタを提供することを目的とする。
【０００６】
【課題を解決するための手段】
この発明は、一端部に筒状の注出口が形成されたペットボトルやアルミボトルの容器本体と、上記注出口に取り付けられた内蓋と、上記内蓋に挿通されたストローとから成り、上記内蓋は、外側面が上記注出口に圧接し注出口基端部に向かって径が小さくなるテーパ状に形成された取付部と、この取付部の小径部からさらに上記容器本体の底面に向かって径が小さくなるようにテーパ状に形成され上記容器本体内で上記内蓋の一端部を閉鎖する閉鎖部と、上記閉鎖部を貫通して設けられたストロー取付口とを備え、上記閉鎖部には空気穴が形成され、上記ストロー取付口には上記容器本体底面に達したストローが取り付けられ、このストローには、上記内蓋内に位置して上記ストローの一部に形成され上記ストローの先端部を上記内蓋内に収容可能にする伸縮部と、上記ストローの先端部に形成された鍔部とが設けられている飲料容器である。
【０００７】
上記容器本体はペットボトルであり、上記ストロー取付部は、上記ペットボトルの上方であって上記注出口の基端部よりも容器本体底面側に位置している。上記容器本体の注出口は、容器本体底部に向かうに従い内径が小さくなったテーパ状に形成され、上記取付部のテーパ状の外側面が上記注出口のテーパに接し、上記注出口内に上記取付部が圧入されて圧縮状態で嵌合し、上記注出口の先端部以下の内側下方に圧入される。
【０００８】
またこの発明は、一端部に筒状の注出口が形成されたペットボトルやアルミボトルの容器本体の注出口に取り付けられる内蓋と、上記内蓋に挿通されたストローとから成り、上記内蓋は、外側面が上記注出口に圧接し注出口基端部に向かって径が小さくなるテーパ状に形成された取付部と、この取付部の小径部からさらに上記容器本体の底面に向かって径が小さくなるようにテーパ状に形成され上記容器本体内で上記内蓋の一端部を閉鎖する閉鎖部と、上記閉鎖部を貫通して設けられたストロー取付口とを備え、上記閉鎖部には空気穴が形成され、上記ストロー取付口には上記容器本体底面に達したストローが取り付けられ、このストローには、上記内蓋内に位置して上記ストローの一部に形成され上記ストローの先端部を上記内蓋内に収容可能にする伸縮部とが設けられている飲料容器用アダプタである。また、上記ストローの先端部には、側方に膨らんだ鍔部が設けられ、この鍔部は側面が丸みを帯びて形成されているとよい。上記閉鎖部は、上記ストロー取付口に向かうに従い、外径が小さくなる割合が上記取付部よりも大きいテーパ状に形成されている。
【０００９】
また、上記ストローの上記伸縮部は蛇腹状である。ストローは、蛇腹の下端部が上記ストロー取付部に係合し固定されている。上記取付部は、上記注出口内に圧縮状態で嵌入され、上記注出口の先端部以下の内側下方に圧入される。そして、上記注出口の径に合わせてその注出口内の密接位置に保持され、上記注出口の径のバラツキや取付部の径のバラツキを吸収する。さらに、上記ストローの上記容器本体の底面側端部の周縁部には、切欠部が形成されているとよい。空気穴は、容器本体を立てた状態で、内蓋内に浸入している飲料が容器本体内に自然落下するように、ある程度の大きさにまたは複数個あけられていると良い。
【００１０】
この発明の飲料容器と飲料容器用アダプタは、飲料を飲むときは、ストローの先端を引いて伸縮部を伸ばし、ストローの先端をペットボトルの注出口よりも外側に引き出して飲む。飲料を飲まないときは、ストローを押し下げて伸縮部を縮め、ストローの先端を上記ペットボトルの注出口内の内蓋内に収容し、キャップを注出口に嵌めて閉める。
【００１１】
【発明の実施の形態】
以下、この発明の実施形態について図面に基づいて説明する。図１はこの発明の一実施形態を示すものであり、この実施形態の飲料容器１０は、例えばＰＥＴ（ポリエチレンテレフタレート）樹脂製のペットボトルであり、略有底筒状の容器本体１２を有し、容器本体１２の先端部には筒状の注出口１４が一体に形成されている。注出口１４の外側面には雄ねじ１６が形成されている。注出口１４には、キャップ１８が、着脱自在に設けられている。キャップ１８の内周面には、雌ねじ２０が形成され、注出口１４の雄ねじ１６に螺合されている。
【００１２】
注出口１４は、容器本体１２の底面１２ａに向かうに従い内径が小さくなったテーパ状に形成されている。これは、ペットボトルをブロー成形する際に注出口１４に入れた型の抜きテーパである。注出口１４の内側には、飲料容器用アダプタ１１のＰＥＴ樹脂製の内蓋２２が圧入により固定されている。内蓋２２は、注出口１４のテーパ状の内周面に嵌合するように、外側面が注出口１４の基端部１４ｂに向かって径が小さくなるテーパ状に形成された取付部２４が設けられている。内蓋２２の取付部２４は、注出口１４の先端部１４ａ側の端部と一致するか僅かに下方に嵌り込んで、注出口１４の内周面に密に圧接している。取付部２４の、注出口１４の基端部１４ｂ側の端部には、取付部２４の小径部２４ａからさらに容器本体１２の底面１２ａに向かって径が小さくなるようにテーパ状に形成され、容器本体１２内で内蓋２２の下端部を閉鎖する閉鎖部２６が設けられている。
【００１３】
閉鎖部２６のほぼ中央は、後述するストロー３０の外径よりも僅かに大きな内径の小径部２６ａであり、ストロー３０が挿通され固定される透孔であるストロー取付口２８が形成されている。閉鎖部２６は、ストロー取付口２８に向かうに従い、外径が小さくなる割合が、取付部２４よりも大きい割合のテーパ状に形成されている。ストロー取付口２８は、注出口１４の基端部よりも容器本体１２の底面１２ａ側に位置している。また、閉鎖部２６の、ストロー取付口２８の近傍には、小さい透孔である空気穴３１が形成されている。この空気穴３１は、容器本体１２を立てた状態で、内蓋２２内に浸入している飲料が容器本体１２内に自然落下する程度の大きさにまたは複数個あけられていると良い。また、飲料の製造時に空気穴３１をシールで塞ぎ、飲用に際して開栓後シールを剥がして空気の通過を可能とするものでも良い。
【００１４】
内蓋２２のストロー取付口２８には、ストロー３０が挿通されている。ストロー３０は、内蓋２２から下の部分は、まっすぐな筒状であり容器本体１２の底面１２ａに達する長さに形成されている。ストロー３０の、容器本体１２の底面１２ａ側の周縁部には、Ｕ字形等の切欠部３２が数カ所に形成されている。また、ストロー３０の内蓋２２内の部分には、蛇腹状の伸縮部３４が設けられ、ストロー３０の伸縮部３４よりも先端部分はまっすぐな筒状である。ストロー３０の伸縮部３４及びその上方部分は、内蓋２２内で注出口１４の軸方向、即ち基端部１４ｂから先端部１４ａに向かう方向に収容されている。ストロー取付口２８は、注出口１４の基端部よりも容器本体１２の底面１２ａ側に位置しているので、伸縮部３４の長さを十分にとることができる。
【００１５】
ストロー３０の先端部には、ストロー３０を引くときの手がかりとなる鍔部３６が形成されている。鍔部３６は、側面が丸みを帯びて形成され、口に入れた際も違和感のないように形成されている。伸縮部３４の最下端部の蛇腹の細径部は、ストロー取付口２８に嵌合され引き抜き方向にはストロー３０が抜けないように取り付けられている。これにより簡単にストロー３０の固定が可能である。また、ストロー３０は、ストロー取付口２８に対して、接着や溶着、圧入等により固定されていても良い。
【００１６】
次に、この実施形態の飲料容器１０の使用方法について説明する。飲料容器１０内では、製造当初及び飲料を飲まないときは、図１に示すようにストロー３０の伸縮部３４を縮めて内蓋２２の内側に収容した状態にする。そして容器本体１２の注出口１４にキャップ１８を取り付ける。また、飲料容器１０から飲料を飲むときは、キャップ１８を外してストロー３０を引き出し、ストロー３０の伸縮部３４を伸ばす。このときストロー３０の先端は鍔部３６が形成されているため、鍔部３６が手がかりとなり、引き出しやすい。ストロー３０は、内蓋２２のストロー取付部２８に固定されているため、片手で容器本体１２を保持し他方の手で簡単にストロー３０を引き出すことができる。そしてストロー３０に口をつけて飲料を飲む。飲料を飲むと容器本体１２の内側は減圧になるが、空気穴３１から空気が入るため、円滑に飲みつづけることができる。ストロー３０の先端には切欠部３２が設けられ、飲料が吸い込みやすい。
【００１７】
この実施形態の飲料容器１０及び飲料容器用アダプタ１１によれば、簡単な構造でストロー３０で容器本体１２から飲料を飲むことができる。飲料容器用アダプタ１１は、取付部２４がテーパ状に形成され、容器本体１２の注出口１４内に嵌合する際に、注出口１４の内径に多少のバラツキがあっても、テーパにより確実に密着させ固定することができ、内蓋２２と注出口１４との隙間から飲料が漏れることがない。また、容器本体１２の注出口１４への取付に際しても、閉鎖部２６のテーパにより、容易に挿入することができ、自動化も容易に可能である。さらに、取付部２４のテーパにより、ペットボトル等の容器本体１２の種類による内径の多少の差があっても、取付部２４を注出口１４に圧縮状態で圧入し、取付部２４は多少圧縮変形して取り付けられる。これにより、１種類または少ない種類の内蓋２２で多種類の容器本体１２に対応することができ、内蓋２２の汎用性が高く、コストも極めて低いものとすることができる。また、取付用の自動機も共用可能であり、製造コストを大幅に抑えることができる。
【００１８】
さらに、ストロー取付部２８は注出口１４の基端部１４ｂよりも底面１２ａ側に位置して、注出口１４の先端部１４ａまでの距離が長く、ストロー３０の伸縮部３４は十分に長い吸い口部分を引き出すことができる。また、ストロー３０には鍔部３６が設けられているため、ストロー３０の引出しの際に手がかりとなって操作しやすく、また丸みを帯びているので口当たりも良い。内蓋２２は注出口１４に密着され、ストロー３０も固定されているため、誤って容器本体１２を倒しても、飲料が大量に流れ出ることはなく、安全である。ストロー３０は、使用していないときは内蓋２２の内側に収容され、キャップ１８で覆われるため、ごみが付着することがなく衛生的である。さらに、内蓋２２は、容器本体１２の上方であって注出口１４の基端部付近またはその下方に位置しているので、飲料の液面から内蓋２２までの空気量が少なく、飲料が接する空気が少ないので飲料の酸化も抑えることができる。また、開栓後に外気や口に触れて容器本体内に戻る飲料の量が少なくなるため、開栓後の雑菌の繁殖を抑える。
【００１９】
なお、この発明の飲料容器と飲料容器用アダプタは、上記実施形態に限定されるものではなく、内蓋の形状やストローの長さ等、適宜変更可能である。ストローの伸縮部は、蛇腹式以外に簡単に長さの変更が可能な構造であれば良い。内蓋は、ペットボトルの容器本体以外にも、アルミボトルやビン等、取付部の形状を変えることによりいろいろな飲料容器に取り付けることができる。
【００２０】
【発明の効果】
この発明の飲料容器と飲料容器用アダプタは、簡単な構造でストローを容器本体に固定し、ストローで飲料を飲むことができ、取り付けも容易である。さらに、この飲料容器用アダプタを取り付けた飲料の製造も容易で、テーパ状の取付部により、容器本体の注出口の多少のバラツキにも対応することができ、コストも極めて安価に製造可能である。また、ストローは簡単に引き出したり収容したりすることができ、使用しないときはキャップに覆われているため、衛生的である。
【図面の簡単な説明】
【図１】この発明の一実施形態の飲料容器の縦断面図である。
【図２】この実施形態の飲料容器のストローを引き出した状態を示す縦断面である。
【図３】この実施形態の飲料容器の内蓋を示す平面図（Ａ）と縦断面図（Ｂ）である。
【符号の説明】
１０  飲料容器
１１  飲料容器用アダプタ
１２  容器本体
１４  注出口
１６  雄ねじ
１８  キャップ
２０  雌ねじ
２２  内蓋
２４  取付部
２６  閉鎖部
２８  ストロー取付口
３０  ストロー
３１  空気穴
３２  切欠部
３４  伸縮部
３６  鍔部
【図１】
2004244069.tif 000003
【図２】
2004244069.tif 000004
【図３】
2004244069.tif 000005